(57)【要約】  【課題】  丸端子やＹ端子における突出した電線が端子台の角部等に干渉して損傷しないようにすると共に、ケース構造を簡略化する。  【解決手段】  電子部品等が収容されたケース２の外側面に、電線１１を接続するための端子台１０が設けられた電源装置の端子台１０の周辺を、ケース２に対して着脱自在なカバー８で覆うと共に、カバー８に、端子台１０に接続する電線１１や電線１１に取り付けられた端子１２の圧着部１２ｃが干渉するのを防止する凹溝８ｈを形成した。【選択図】  図２
2006262563.tif 000002
【特許請求の範囲】
【請求項１】
電子部品等が収容されたケースの外側面に、電線を接続するための端子台が設けられた電源装置であって、前記端子台の周辺を、前記ケースに対して着脱自在なカバーで覆うと共に、前記カバーに、前記端子台に接続する前記電線や、前記電線に取り付けられた端子の圧着部が干渉するのを防止する凹溝を形成したことを特徴とする電源装置。
【請求項２】
前記カバーの開口部を前記ケースの断面よりやや大きく形成して、前記開口部を前記ケースの外側面に沿うように嵌合することにより、前記ケースに対して前記カバーを取り付けてなる請求項１に記載の電源装置。
【発明の詳細な説明】
【技術分野】
【０００１】
本発明は、複数の電線が接続可能な端子台を有するＡＣ／ＤＣコンバータのような電源装置に関する。
【背景技術】
【０００２】
従来ＡＣ／ＤＣコンバータのような電源装置には、ＡＣ電源を入力するための電線を接続したり、ＤＣ電源を出力するための電線を接続する端子台がケースの外側に設けられたものがある。
【０００３】
またこの種の端子台は、全体が絶縁性の樹脂により一体成形されていて、端子を接続するための接続部が等間隔に設けられており、これら接続部は、ケース内の回路基板に電気的に接続されていると共に、各接続部には、端子板と端子を固定するビス等の固着具が設けられている。
【０００４】
端子台に接続する端子には、導電性金属により成形された丸端子や、２股に分岐されたＹ端子等があり、何れも取り付け孔が形成された例えば丸形の金属板の外周縁部に、ほぼコ字形に形成された圧着部を有していて、この圧着部に電線の一端を嵌入して圧着部をカシメることにより、電線に対して端子が取り付けられている。
【０００５】
一方この種の電源装置としては、例えば特許文献１に記載されたものが公知である。
【０００６】
前記特許文献１に記載の電源装置は、電子部品やトランス、端子台等が実装された配線基板等からなるパワーモジュールを、上側ケースと下側ケースからなるケース内に収容された構成となっていて、パワーモジュールがケースと電源本体のケースと２重にケーシングされることにより、放熱効果が良好な上、実装スペースを有効利用できるため、電源装置の小型化が図れる等の効果を有している。
【特許文献１】特開平１１−２３５０１９号公報
【発明の開示】
【発明が解決しようとする課題】
【０００７】
しかしケースの外側に端子台が設けられた従来の電源装置では、次のような問題がある。
【０００８】
電線の一端に取り付けられた丸端子やＹ端子等の端子は、平板の一方の面側に圧着部を有していて、この圧着部に電線がカシメられているため、端子が取り付けられた電線は端子の一方の面側に突出することになる。
【０００９】
このため端子台の接続端に２本の電線を接続する場合、端子の電線が突出しない面を互いに合わせた状態で、固着具により端子板に圧着固定することになるが、この場合端子の一方の面に突出した電線が端子台の角部と干渉するため、固着具を強く締め付けると、端子台の角部により電線が損傷を受けたり、電線により端子台の角部が損傷を受ける問題がある。
【００１０】
また端子台の周辺には、電源装置の動作状態を表示するＬＥＤや、出力電圧を調整するボリューム、コネクタ等が設けられているが、これらは露出した状態にあるため、端子台に電線を接続する作業を行っている際、誤って工具がＬＥＤやボリューム、コネクタに触れてしまうと、これらを損傷する虞があると共に、高電圧部に手や工具が触れると感電したり、静電気が発生して機能に悪影響を及ぼす等の問題もある。
【００１１】
一方パワーモジュールをケース内に収容した前記特許文献１に記載の電源装置では、端子台もケース内に収容されているため、端子台に電線を接続する場合、その都度上側ケースを開放して作業を行わなければならないため、作業が煩雑である上、電線をケース外へ引き出すための引き出し口をケースに設けなければならないため、ケースの構造も複雑になる等の問題もある。
【００１２】
本発明はかかる従来の問題を改善するためになされたもので、丸端子やＹ端子における突出した電線が端子台の角部等に干渉して損傷しないようにすると共に、ケース構造を簡略化した電源装置を提供することを目的とするものである。
【課題を解決するための手段】
【００１３】
本発明の電源装置は、電子部品等が収容されたケースの外側面に、電線を接続するための端子台が設けられた電源装置であって、端子台の周辺を、ケースに対して着脱自在なカバーで覆うと共に、カバーに、端子台に接続する電線や電線に取り付けられた端子の圧着部が干渉するのを防止する凹溝を形成したものである。
【００１４】
前記構成により、端子の圧着部が突出しない面を重ねた状態で接続部に挿入し、固着具により接続部に電線を接続した際、端子の圧着部や、圧着部にカシメられた電線がカバー側へ突出しても、カバーの前面板に形成された凹溝内に圧着部や電線が収容されるため、カバーと端子の圧着部や電線が干渉することがなくなり、これによって固着具を強く締め付けた場合でも、端子の圧着部や電線、カバーの一部が損傷を受けることがない。
【００１５】
また端子台に電線を接続する作業を行う際、誤って工具がＬＥＤやボリューム、コネクタ等に触れて、これらを損傷する虞がないと共に、その都度ケースを開放して電線の接続作業を行う必要がないため、電線の接続作業が容易となる上、電線をケース外へ引き出すための引き出し口をケースに設ける必要もないためケースの構造が簡単となり、これによって部品コストの削減も図れる。
【００１６】
本発明の電源装置は、カバーの開口部をケースの断面よりやや大きく形成して、開口部をケースの外側面に沿うように嵌合することにより、ケースに対してカバーを取り付けたものである。
【００１７】
前記構成により、製品の組み立て時や保管時、出荷時に電源部に異物が侵入することがないと共に、電子部品等が実装された電源基板をカバーで覆うことにより、配線後出力調整等の作業を行う際、誤って手や工具等が高圧部に触れて感電したり、機能に悪影響を及ぼす静電気が発生したりすることもない。
【発明の効果】
【００１８】
本発明の電源装置によれば、固着具により接続部に電線を接続した際、端子の圧着部や、圧着部にカシメられた電線がカバー側へ突出しても、カバーの前面板に形成された凹溝内に圧着部や電線が収容されてカバーと端子の圧着部や電線が干渉することがないため、固着具を強く締め付けた場合でも、端子の圧着部や電線、カバー等が損傷を受けることがない。
【発明を実施するための最良の形態】
【００１９】
本発明の実施の形態を、図面を参照して詳述する。
【００２０】
図１は電源装置の斜視図、図２は図１のＡ方向からの矢視図、図３は電源装置のカバーを外した状態の分解斜視図、図４は電源装置の後面図、図５は電線を接続する際の作用説明図である。
【００２１】
図１は、例えばＡＣ／ＤＣコンバータのような電源装置の本体１を示すもので、前後方向の長い角筒状のケース２を有している。
【００２２】
ケース２は、ほぼ全体に例えば六角の通気孔２ａが打ち抜かれたパンチングメタルを箱状に折り曲げることにより形成されていて、前後面が開口されており、内部にはＡＣ／ＤＣコンバータを構成する電子部品やトランス等が実装されたプリント配線板（図示せず）が収容されている。
【００２３】
ケース２の後側開口部２ｂは取り付け板３により閉鎖されていて、取り付け板３の外側面に、本体１をＤＩＮレール等に取り付けるためのブラケット３ａが突設されており、ケース２の前側開口部２ｃには、図３に示すように電源基板４が開口部２ｃを閉鎖するように設けられている。
【００２４】
電源基板４の外側面には、上部に本体１の動作状態を表示するＬＥＤ５や、出力不足が生じた場合に警報信号を出力するケーブル（図示せず）を接続するコネクタ７、出力電圧を調整するボリューム（図示せず）等が設けられていると共に、ＬＥＤ５の下側から電源基板４の下部に達するまで、縦方向に端子台１０が設けられている。
【００２５】
端子台１０は、全体が絶縁性の樹脂により一体成形されていて、長手方向に間隔を存して複数、例えば７個の接続部１０ａが設けられている。
【００２６】
これら接続部１０ａには、図２及び図５に示すように、本体１へＡＣ電源を入力する複数本の電線と、本体１内でＡＣ／ＤＣ変換されたＤＣ電源を出力する複数本の電線、アース線（何れも単に電線１１という）等が接続できるようになっており、これら電線１１の端部には、端子１２が取り付けられている。
【００２７】
端子１２は、図２に示すような丸端子や、２股に分岐されたＹ端子などの圧着端子により形成されていて、取り付け孔１２ａが開口された円板１２ｂの外周部に、円板１２ｂの一方の面側に突出する圧着部１２ｃが形成されており、この圧着部１２ｃに電線１１の端部を嵌入した状態で圧着工具（図示せず）により圧着部１２ｃをカシメることにより、電線１１の端部に端子１２が取り付けられている。
【００２８】
端子台１０の各接続部１０ａには、端子台１０の両側から端子１２が挿入できるように通孔１０ｂが設けられており、各通孔１０ｂの境界にはリブ１０ｃが突設されていて、図５に示すように、固着具１３を締め付けた際、端子１２が回転するのを防止すると同時に、隣接する端子１２同士がショートしないようになっており、通孔１０ｂ内に、端子板１０ｆが設けられている。
【００２９】
端子板１０ｆは各接続部１０ａ毎に設けられていて、本体１内のプリント配線板と電気的に接続されており、端子台１０の前面には、各接続部１０ａ毎にビスよりなる固着具１３が設けられている。
【００３０】
これら固着具１３は、接続部１０ａに挿入した電線１１と端子板１０ｆを電気的に接続すると同時に、接続部１０ａに端子１２を固定するもので、端子台１０の前面に形成されたテーパ状の凹孔１０ｄ内に頭部が位置していて、頭部に誤って手や工具等が触れないように固着具１３を締め付けた状態では、凹孔１０ｄの奥の方に締め込まれるようになっている。
【００３１】
一方ケース２の前部には、図２に示すように、樹脂により一体成形されたカバー８が着脱自在に取付けられている。
【００３２】
カバー８は図３に示すように、ケース８の縦断面形状よりやや大きく形成されていて、ケース２の前部に取り付けた際ＬＥＤ５やボリューム等を覆う部分の側板８ａが他の部分より幅広となっており、この幅広部８ｂはケース２の前側上部に前方より嵌合できるようになっている。
【００３３】
カバー８の上面と両側面には、長孔状の通気孔８ｃが複数形成されており、前面板８ｄには、ＬＥＤ５の表示孔８ｅと、コネクタ６が突出する角孔８ｆ及び端子台１０が突出する長方形状の開口部８ｇが形成されている。
【００３４】
コネクタ７が突出する角孔８ｆは、カバー８の前面板８ｄに形成された凹部８ｊに形成されていて、コネクタ７の先端が前面板８ｄより前方へ突出しないようになっており、開口部８ｇより突出した端子台１０は、ケース２にカバー８を取り付けた状態でも、端子台１０に電線１１を接続する作業の邪魔にならないように、カバー８の前面板８ｄの前面よりさらに前方へ突出するようになっている。
【００３５】
開口部８ｇは、ケース２の一方の側面に寄った位置に形成されていて、側面がわの開口縁部には、端子台１０の各接続部１０ａ毎に凹溝８ｈが上下方向に等間隔に形成されており、これら凹溝８ｈは、樹脂によりカバー８を成形する際、前面板８ｄを凹入させることにより形成されていて、これら凹溝８ｈにより、端子台１０に接続した電線１１や端子１２の圧着部１２ｃがカバー８と干渉しないようになっている。
【００３６】
次に前記構成された電源装置の作用を説明する。
【００３７】
電源装置は、予め組み立て工場でケース２内に電子部品や配線基板等が組み立てられた状態で出荷されるが、出荷前の検査が終了した状態でケース２の前部にカバー８を取り付けることにより、保管時や出荷時電源部に異物が侵入するのを防止できるようになる。
【００３８】
一方電源装置を使用するに当たっては、本体１を取り付け板３より突設されたブラケット３ａによりＤＩＮレール等に取り付けた後、電線１１の接続作業を行うが、電線１１の端部には、予め図２に示すように端子１２を取り付けておき、端子台１０の固着具１３を緩めた状態で、カバー８の凹溝１０ｈが形成された側から端子台１０の接続部１０ａに設けられた通孔１０ｂに端子１２を挿入する。
【００３９】
同時に２本の電線１１を接続部１０ａに接続する場合は、端子１２の圧着部１２ｃが突出しない面を図５に示すように重ねた状態で接続部１０ａに挿入するが、このとき一方の端子１２の圧着部１２ｃや、圧着部１２ｃにカシメられた電線１１がカバー８側へ突出しても、カバー８の前面板８ｄには予め凹溝８ｈが形成されていて、この凹溝８ｈ内に圧着部１２ｃや電線１１が図５に示すように収容されるため、カバー８と端子１２の圧着部１２ｃや電線１１が干渉することがなくなり、これによって固着具１３を強く締め付けた場合でも、端子１２の圧着部１２ｃや電線１１、カバー８の一部が損傷を受けることがない。
【００４０】
またボリュームにより出力調整を行う場合も、カバー８の前面板８ｄに開口された調整孔（図示せず）からドライバ等の工具を挿入することにより、出力調整作業が容易に行える上、電源基板４がカバー８により覆われているため、作業中誤って手や工具等が高圧部に触れて感電したり、機能に悪影響を及ぼす静電気が発生したりすることがない。
【００４１】
なお前記実施の形態では、ＡＣ／ＤＣコンバータのような電源装置に実施した場合について説明したが、電線１１を接続するための端子台１０を有する電子機器全般に適用できるものである。
【産業上の利用可能性】
【００４２】
本発明の電源装置は、端子台に電線を接続する際、端子の圧着部や、圧着部にカシメられた電線がカバー側へ突出しても、カバーと端子の圧着部や電線が干渉することがないため、複数の電線が接続可能な端子台を有するＡＣ／ＤＣコンバータのような電源装置に最適である。
【図面の簡単な説明】
【００４３】
【図１】本発明の実施の形態になる電源装置の斜視図である。
【図２】図１のＡ方向からの矢視図である。
【図３】本発明の実施の形態になる電源装置のカバーを取り外した状態の分解斜視図である。
【図４】本発明の実施の形態になる電源装置の後面図である。
【図５】本発明の実施の形態になる電源装置に電線を接続する際の作用説明図である。
【符号の説明】
【００４４】
１      本体
２      ケース
８      カバー
８ｄ    前面板
８ｈ    凹溝
１０      端子台
１１      電線
１２      端子
１２ｃ    圧着部
【図１】
2006262563.tif 000003
【図２】
2006262563.tif 000004
【図３】
2006262563.tif 000005
【図４】
2006262563.tif 000006
【図５】
2006262563.tif 000007